(57)【要約】【課題】内燃機関の燃焼室を区画するピストンに付着する未燃燃料やデポジット等の炭素系の化合物などの堆積、蓄積の抑制を図ることができる内燃機関の浄化装置を提供する。【解決手段】内燃機関の浄化装置は、筒内燃料噴射弁１５の噴孔にレーザ光を照射するレーザ光照射装置２を備える。そして、レーザ光照射装置２により照射されるレーザ光の照射強度および照射時期を燃料の噴射量および噴射時期に基づき制御する。例えば、筒内燃料噴射弁１５のノズルニードル１５ｂがフルリフト状態のときにレーザ光の照射を開始して、筒内燃料噴射弁１５が完全に燃料の噴射供給を終了したときにレーザ光の照射を終了する。【選択図】図４
2006242032.tif 000002
【特許請求の範囲】
【請求項１】
内燃機関の燃焼室内に燃料を噴射供給する筒内燃料噴射弁の噴孔にレーザ光を照射するレーザ光照射手段と、
筒内燃料噴射弁の噴孔から噴射供給される燃料の噴射量および噴射時期を制御する噴射制御手段と、
前記噴射量および前記噴射時期のうち少なくとも何れかに基づき前記レーザ光の照射強度および照射時期のうち少なくとも何れかを制御するレーザ光照射制御手段と、
を備えることを特徴とする内燃機関の浄化装置。
【請求項２】
前記レーザ光照射制御手段は、前記噴射制御手段から前記筒内燃料噴射弁へ出力される燃料の噴射開始指令の出力時から所定時間経過後に前記レーザ光の照射を開始し、前記噴射制御手段から前記筒内燃料噴射弁へ出力される燃料の噴射終了指令の出力時から所定時間経過後に前記レーザ光の照射を終了する請求項１記載の内燃機関の浄化装置。
【請求項３】
前記レーザ光照射制御手段は、前記筒内燃料噴射弁のノズルニードル着座時より前に前記レーザ光の照射を開始する請求項２記載の内燃機関の浄化装置。
【請求項４】
前記レーザ光照射制御手段は、前記筒内燃料噴射弁のフルリフト状態時に前記レーザ光の照射を開始する請求項２または３に記載の内燃機関の浄化装置。
【請求項５】
前記レーザ光照射制御手段は、前記筒内燃料噴射弁のノズルニードル着座時より後に前記レーザ光の照射を終了する請求項２〜４の何れかに記載の内燃機関の浄化装置。
【請求項６】
前記レーザ光照射制御手段は、前記レーザ光の連続照射時間内に前記筒内燃料噴射弁により噴射される前記噴射量が多いほど前記レーザ光の照射強度を強くする請求項１〜５の何れかに記載の内燃機関の浄化装置。
【請求項７】
前記レーザ光照射制御手段は、前記筒内燃料噴射弁により噴射される前記燃料の噴射圧力が高いほど前記レーザ光の照射強度を強くする請求項６記載の内燃機関の浄化装置。
【請求項８】
前記レーザ光照射制御手段は、前記筒内燃料噴射弁により噴射される前記燃料の連続噴射時間が長いほど前記レーザ光の照射強度を強くする請求項６または７に記載の内燃機関の浄化装置。
【発明の詳細な説明】
【技術分野】
【０００１】
本発明は、内燃機関の浄化装置に関する。詳細には、内燃機関の燃焼室内にデポジットの付着を防止することで燃焼室内を浄化することができる内燃機関の浄化装置に関するものである。
【背景技術】
【０００２】
内燃機関の燃焼室内において、未燃燃料が燃焼以外の化学反応などによりデポジット（炭素系の化合物）を生じることがある。デポジットが燃焼室内に堆積すると、燃焼室内での燃料の挙動が変動し、内燃機関の性能に大きな影響を及ぼす。その結果、エミッションが悪化するおそれがある。
【０００３】
この問題に対して、エアアシスト式の燃料噴射弁を使用して、燃料を噴射する機能と、その燃料に空気を吹きかける機能を有する噴孔部にデポジットを溜める技術が開示されている（特許文献１参照）。すなわち、噴孔部出口側の噴射燃料に吹き付ける空気を供給するエアアシスト通路に、デポジットの溜り代としての溝を設けている。
【０００４】
また、噴孔部周りにフルオロアルキル基などを含む撥液膜を形成し、デポジットの付着を抑制する技術が開示されている（特許文献２参照）。なお、撥液膜を噴孔の表面に形成する方法としては、例えばゾルーゲル方法により撥液膜を焼成してその表面に撥液性を持たせている。
【特許文献１】特開平５−１８７３４３号公報
【特許文献２】特開平１０−１５９６８８号公報
【発明の開示】
【発明が解決しようとする課題】
【０００５】
しかし、特許文献１による技術では、デポジットをある程度溜めるのみであるため、比較的大量のデポジットが生成されると取り除かれることなく噴孔部に蓄積され、内燃機関の性能に影響を及ぼすおそれがある。また、特許文献２による技術では、噴孔部の表面とデポジットの付着を弱める方法であるため、撥液膜が形成された噴孔部であったとしても、長期間の運転あるいは比較的高温な燃焼ガス等に繰り返し被爆されることで、付着抑制の効果が薄れるおそれがある。
【０００６】
本発明は、このような事情に鑑みて為されたものであり、内燃機関の筒内燃料噴射弁の噴孔部にデポジット等の炭素系の化合物などの堆積、蓄積の抑制を図ることができる内燃機関の浄化装置を提供することを目的とする。
【課題を解決するための手段及び発明の効果】
【０００７】
本発明の内燃機関の浄化装置は、内燃機関の燃焼室内に燃料を噴射供給する筒内燃料噴射弁の噴孔にレーザ光を照射するレーザ光照射手段と、筒内燃料噴射弁の噴孔から噴射供給される燃料の噴射量および噴射時期を制御する噴射制御手段と、前記噴射量および前記噴射時期のうち少なくとも何れかに基づき前記レーザ光の照射強度および照射時期のうち少なくとも何れかを制御するレーザ光照射制御手段とを備えることを特徴とする。
【０００８】
ここで、筒内燃料噴射弁の噴孔から燃料の噴射供給の終了時付近において、当該燃料は液相状態となることがある。この液相状態の燃料が噴孔周辺に付着する。そして、噴孔周辺に付着した液相状態の燃料が、デポジットの原因となることが知られている。そこで、本発明の内燃機関の浄化装置によれば、レーザ光を筒内燃料噴射弁の噴孔に照射することで、レーザ光のエネルギーにより噴孔に付着した液相状態の燃料を気相状態にすることができる。特に、照射するレーザ光の照射強度および照射時期を筒内燃料噴射弁により噴射供給される燃料の噴射量および噴射時期に基づき制御しているので、適切に噴孔に付着した液相状態の燃料を気相にすることができる。その結果、筒内燃料噴射弁の噴孔に液相状態の燃料の付着を防止できるので、デポジットなどの堆積、蓄積を抑制することができる。
【０００９】
また、前記レーザ光照射制御手段は、前記噴射制御手段から前記筒内燃料噴射弁へ出力される燃料の噴射開始指令の出力時から所定時間経過後に前記レーザ光の照射を開始し、前記噴射制御手段から前記筒内燃料噴射弁へ出力される燃料の噴射終了指令の出力時から所定時間経過後に前記レーザ光の照射を終了するようにしてもよい。このように、燃料の噴射開始指令の出力時に基づきレーザ光の照射を開始し、燃料の噴射終了指令の出力時に基づきレーザ光の照射を終了することで、レーザ光の照射時期を確実に制御することができる。
【００１０】
そして、前記レーザ光照射制御手段は、前記筒内燃料噴射弁のノズルニードル着座時より前に前記レーザ光の照射を開始するようにするとよい。ここで、ノズルニードル着座時とは、ノズルニードルがノズルボディに着座している状態時、すなわち弁部が閉鎖されている状態時である。このようなノズルニードル着座時付近において、噴孔から噴射供給される燃料は液相状態となることがある。そこで、噴射供給される燃料が液相状態になるノズルニードル着座時より前に、レーザ光の照射を開始することで、液相状態の燃料を確実に気相状態にすることができる。その結果、液相状態の燃料が噴孔周辺に付着することを確実に防止できる。
【００１１】
特に、前記レーザ光照射制御手段は、前記筒内燃料噴射弁のフルリフト状態時に前記レーザ光の照射を開始するようにするとよい。ここで、フルリフト状態時とは、ノズルニードルが最高位置に位置する状態時、すなわち弁部の開口面積が最も大きい状態時である。そして、噴射制御手段から噴射終了指令が出力されると、ノズルニードルは、フルリフト状態時から徐々にリフト量を減少させて、最終的にはノズルボディに着座する。このように、ノズルニードルが徐々にリフト量を減少させている間には、噴孔から噴射供給される燃料が液相状態になることがある。そこで、噴射供給される燃料が液相状態になるおそれのある状態の前であるフルリフト状態時に、レーザ光の照射を開始することで、液相状態の燃料をより確実に気相状態にすることができる。その結果、液相状態の燃料が噴孔周辺に付着することをより確実に防止できる。
【００１２】
また、前記レーザ光照射制御手段は、前記筒内燃料噴射弁のノズルニードル着座時より後に前記レーザ光の照射を終了するようにするとよい。上述したように、ノズルニードルがフルリフト状態時からノズルボディに着座するまでの間は、噴孔から噴射供給される燃料が液相状態になることがある。そこで、ノズルニードル着座時よりも後にレーザ光の照射を終了することで、確実に液相状態の燃料を気相状態にすることができる。なお、ノズルニードル着座時直後にレーザ光の照射を終了するのではなく、ノズルニードル着座時から所定時間経過後にレーザ光の照射を終了するようにするとよい。ノズルニードル着座時よりも後であっても、例えば、弁部から噴孔までの間に液相状態の燃料が僅かではあるが存在していることがある。そして、ノズルニードル着座時から所定時間経過するまでの間に、レーザ光を照射することにより、当該燃料を気相状態にすることができる。これにより、確実に液相状態の燃料が噴孔周辺に付着することを防止できる。
【００１３】
また、前記レーザ光照射制御手段は、前記レーザ光の連続照射時間内に前記筒内燃料噴射弁により噴射される前記噴射量が多いほど前記レーザ光の照射強度を強くするようにするとよい。ここで、レーザ光は、筒内燃料噴射弁の噴孔から噴射供給される燃料と同様に間欠的に照射される。そして、レーザ光の連続照射時間とは、間欠的に照射されるレーザ光が連続的に照射されている時間のことである。そして、レーザ光の連続照射時間内に噴射される燃料の噴射量が多いほど、噴孔周辺に付着する液相状態の燃料の量が多くなる。この場合に、レーザ光の照射強度を強くすることで、確実に噴孔周辺に付着する液相状態の燃料を気相状態にすることができる。
【００１４】
なお、前記レーザ光照射制御手段は、前記筒内燃料噴射弁により噴射される前記燃料の噴射圧力が高いほど前記レーザ光の照射強度を強くするようにしてもよい。ここで、燃料の噴射圧力が高いほど、燃料の噴射量が多くなる。つまり、レーザ光の連続照射時間内に噴射される燃料の噴射圧力が高いほど、噴孔周辺に付着する液相状態の燃料の量が多くなる。この場合に、レーザ光の照射強度を強くすることで、確実に噴孔周辺に付着する液相状態の燃料を気相状態にすることができる。
【００１５】
また、前記レーザ光照射制御手段は、前記筒内燃料噴射弁により噴射される前記燃料の連続噴射時間が長いほど前記レーザ光の照射強度を強くするようにしてもよい。ここで、燃料の連続噴射時間が長いほど、燃料の噴射量が多くなる。つまり、燃料の連続噴射時間が長いほど、噴孔周辺に付着する液相状態の燃料の量が多くなる。この場合に、レーザ光の照射強度を強くすることで、確実に噴孔周辺に付着する液相状態の燃料を気相状態にすることができる。
【発明を実施するための最良の形態】
【００１６】
次に、実施形態を挙げ、図面を参照して本発明をより詳しく説明する。図１は、本実施形態の内燃機関の浄化装置を示す図である。図１に示すように、内燃機関の浄化装置は、内燃機関１と、レーザ光照射手段としてのレーザ光照射装置２と、制御装置（ＥＣＵ）４とから構成される。
【００１７】
図１に示すように、内燃機関１は、シリンダブロック１１と、吸気弁１２ａおよび排気弁１２ｃを有するシリンダヘッド１２と、シリンダブロック１１の内周壁を往復移動するピストン１３と、可燃混合気もしくは燃料等に着火する点火装置１４と、筒内燃料噴射弁１５とを備える周知の内燃機関である。なお、シリンダブロック１１の内周壁、ピストン１３の頂面、およびシリンダヘッド１２の天井内壁により、内燃機関１の燃焼室３を区画している。
【００１８】
シリンダヘッド１２は、吸入空気が流れる通路を形成する吸気管に接続し吸入空気が導かれる吸気ポート１２ｂと、燃焼ガス等が流れる通路を形成する排気管に接続し排気を排出する排気ポート１２ｄとを備えている。そして、吸気ポート１２ｂには吸気弁１２ａが開閉可能に配置され、排気ポート１２ｄには排気弁１２ｃが開閉可能に配置されている。すなわち、吸気弁１２ａは、吸気管から吸気ポート１２ｂに導かれた吸入空気の燃焼室３への流れを遮断および許容する。排気弁１２ｃは、燃焼室３内に生成された燃焼ガスの排気ポート１２ｄへ流れを遮断および許容する。
【００１９】
点火装置１４は、例えば点火プラグなどから構成される周知の点火装置である。筒内燃料噴射弁１５は、シリンダヘッド１２の天井壁側に設けられ、燃料を燃焼室３内に直接噴射する。具体的には、筒内燃料噴射弁１５は、筒内燃料噴射弁１５の噴孔から燃焼室３内のうちピストン１３の頂面に形成されるキャビティ１３ａに向けて燃料を噴射供給する。
【００２０】
この筒内燃料噴射弁１５の噴孔付近の詳細について、図２を参照して説明する。図２は、筒内燃料噴射弁１５の噴孔付近の断面図である。筒内燃料噴射弁１５は、筒状のノズルボディ１５ａと、ノズルボディ１５ａ内を上下方向に往復移動するノズルニードル１５ｂとを備えている。そして、ノズルボディ１５ａとノズルニードル１５ｂとにより、弁部を形成している。ここで、ノズルニードル１５ｂのノズルボディ１５ａに対するリフト量に応じて、筒内燃料噴射弁１５から燃焼室３内に噴射供給される燃料の噴射量が異なる。具体的には、リフト量がゼロリフトの時、すなわちノズルニードル１５ｂがノズルボディ１５ａへの着座時（ノズルニードル着座時）には、燃料が筒内燃料噴射弁１５から燃焼室３内に噴射供給されない。一方、リフト量が大きくなる時、すなわちノズルニードル１５ｂがノズルボディ１５ａから離れると、燃料が筒内燃料噴射弁１５から燃焼室３内に噴射供給される。そして、リフト量が最大時であるフルリフト時、すなわちノズルニードル１５ｂがノズルボディ１５ａから最も離れた時には、筒内燃料噴射弁１５から燃焼室３内に噴射供給される燃料の噴射量が最大となる。なお、ノズルニードル１５ｂは、電磁弁（図示せず）に連結されている。そして、電磁弁のコイルへの通電量に応じて、ノズルニードル１５ｂのリフト量が制御される。
【００２１】
図１に戻り説明する。レーザ光照射装置２は、シリンダブロック１１の上端側の側壁に固定されている。このレーザ光照射装置２は、レーザ光を照射口から光発散し、その光発散する広角もしくは狭角度合いに応じて照射予定領域に熱エネルギーを放射する。具体的には、レーザ光照射装置２は、レーザ光を発生するレーザ発生装置と、レーザ光を照射口から光発散あるいは光集光させるための光学的装置と、レーザ光をレーザ発生装置から光学的装置まで比較的伝送損失なく伝送可能な光ファイバとを有する周知のレーザ発信装置である。なお、光ファイバは、シリンダブロック１１の上端側の側壁に固定された略円筒状のケーシング内に保持され、光ファイバの照射口が筒内燃料噴射弁１５の噴孔に向けられるようにされている。光学的装置は、照射口から出射するレーザ光を発散あるいは集光させるようなレンズまたはレンズ群が設けられている。そして、この光学的装置は、照射されるレーザ光の焦点位置が、筒内燃料噴射弁１５の噴孔に合うようにされている。なお、この光学的装置は、レーザ発生装置からレーザ光を導くためにミラー等のビームスプリッタを設けていてもよい。そして、レーザ光照射装置２により発生されるレーザ光は、液相状態の燃料を気相状態にすることが可能な熱エネルギーを有している。
【００２２】
ＥＣＵ４については、図３を参照して説明する。図３は、ＥＣＵ４の構成を示すブロック図である。ＥＣＵ４は、噴射制御部４１と、レーザ光照射制御部４２と、吸気排気弁制御部４３とから構成される。噴射制御部４１は、内燃機関１の運転状態、例えば、スロットル開度、クランクシャフトの回転角度位置、冷却水温などに応じて、筒内燃料噴射弁１５のコイルへの通電を制御している。具体的には、噴射制御部４１は、筒内燃料噴射弁１５へ燃料の噴射開始指令を出力すると共に、筒内燃料噴射弁１５へ燃料の噴射終了指令を出力する。そして、筒内燃料噴射弁１５は、噴射制御部４１から噴射開始指令が出力されることで、コイルに通電されノズルニードル１５ｂがリフトする。また、筒内燃料噴射弁１５は、噴射制御部４１から噴射終了指令が出力されることで、コイルへの通電が停止されノズルニードル１５ｂがノズルボディ１５ａに着座する。
【００２３】
レーザ光照射制御部４２は、レーザ光照射装置２により照射されるレーザ光の照射タイミングおよび照射強度を制御している。このレーザ光照射制御部４２は、噴射制御部４１から出力される噴射開始指令および噴射終了指令を入力している。そして、詳細については後述するが、レーザ光照射制御部４２は、噴射開始指令および噴射終了指令に基づき、レーザ光の照射タイミングおよび照射強度を制御している。
【００２４】
吸気排気弁制御部４３は、吸気弁１２ａの開閉、および、排気弁１２ｃの開閉の制御を行っている。このように、吸気排気弁制御部４３による吸気弁１２ａの開閉の制御により、燃焼室３内に吸入される吸入空気量を制御している。また、吸気排気弁制御部４３による排気弁１２ｃの開閉の制御により、燃焼室３から排気ポート１２ｄへ排気ガスを排気する制御を行っている。
【００２５】
このように構成される内燃機関の浄化装置の動作について説明する。まず、内燃機関１の動作について説明する。内燃機関１は、吸気弁１２ａが開放されることにより吸気ポート１２ｂを通じて燃焼室３内に吸入空気が導かれる。さらに、筒内燃料噴射弁１５から燃焼室３内のピストン１３に形成されたキャビティ１３ａに向けて燃料が噴射供給される。そして、点火装置１４が点火することで、燃焼室３内に導かれた吸入空気と筒内燃料噴射弁１５により噴射供給された燃料とからなる可燃混合気を着火燃焼させる。そうすると、ピストン１３が往復移動して、内燃機関１の出力軸であるクランクシャフトが回転する。そして、燃焼後の燃焼ガスは、排気弁１２ｃが開放されることにより燃焼室３内から排気ポート１２ｄへ排気される。
【００２６】
次に、レーザ光照射装置２の動作について説明する。レーザ光照射装置２は、ＥＣＵ４のレーザ光照射制御部４２からの制御信号に基づきレーザ光を発生させ、燃焼室３内にレーザ光を照射させる。具体的には、レーザ光照射装置２は、筒内燃料噴射弁１５の噴孔に向けてレーザ光が照射される。
【００２７】
次に、レーザ光照射制御部４２によるレーザ光照射装置２が照射するレーザ光の照射タイミングおよび照射強度について、図４を参照して詳細に説明する。図４は、レーザ光の照射タイミングおよび照射強度について説明するタイミングチャートである。
【００２８】
まずは、ＥＣＵ４の噴射制御部４１により出力される噴射開始指令および噴射終了指令と、筒内燃料噴射弁１５の噴孔から噴射供給される単位時間あたりの燃料の噴射量（実噴射率）について説明する。
【００２９】
図４の第１段目および第２段目に示すように、噴射制御部４１から噴射開始指令が筒内燃料噴射弁１５に出力されると、僅かな時間経過後に、ノズルニードル１５ｂがノズルボディ１５ａからリフトし始めて燃料の噴射供給が開始される。その後、筒内燃料噴射弁１５の噴孔から噴射供給される燃料の実噴射率は、徐々に増加し始める。そして、さらに時間が経過すると、ノズルニードル１５ｂがフルリフト状態となる。なお、筒内燃料噴射弁１５の噴孔から噴射供給される燃料の実噴射率は、フルリフト状態が継続している間僅かではあるが増加し続ける。
【００３０】
そして、噴射制御部４１から噴射終了指令が筒内燃料噴射弁１５に出力されると、僅かな時間経過後に、ノズルニードル１５ｂのリフト量が減少し始める。すなわち、筒内燃料噴射弁１５の噴孔から噴射供給される燃料の実噴射率が、噴射開始指令が出力後僅かな時間が経過してから徐々に減少し始める。そして、さらに時間が経過すると、ノズルニードル１５ｂがノズルボディ１５ａに着座する。ここで、ノズルニードル１５ｂが着座した後であっても、筒内燃料噴射弁１５の噴孔からは僅かに燃料が供給される。したがって、完全に燃料の噴射供給が終了するのは、ノズルニードル１５ｂが着座してから所定時間経過した時となる。
【００３１】
なお、図４の第２段目において、噴射量が少ない場合を実線にて示し、噴射量が多い場合を破線にて示す。
【００３２】
次に、上記噴射開始指令、噴射終了指令、および、実噴射率とレーザ光照射制御部４２によりレーザ光照射装置２がレーザ光を照射するタイミングとの関係について、さらに図４の第３段目を参照して説明する。
【００３３】
図４に示すように、レーザ光照射制御部４２は、噴射制御部４１が噴射開始指令を出力してから所定時間Ｔ１経過したときに、レーザ光照射装置２にレーザ光の照射を開始させる。さらに、レーザ光照射制御部４２は、噴射制御部４１が噴射終了指令を出力してから所定時間Ｔ２経過したときに、レーザ光照射装置２にレーザ光の照射を終了させる。
【００３４】
ここで、所定時間Ｔ１および所定時間Ｔ２の実噴射率との関係については以下のとおりである。噴射制御部４１が噴射開始指令を出力してから所定時間Ｔ１経過した時とは、筒内燃料噴射弁１５のノズルニードル１５ｂがフルリフト状態の時である。また、噴射制御部４１が噴射終了指令を出力してから所定時間Ｔ２経過した時とは、筒内燃料噴射弁１５のノズルニードル１５ｂがノズルボディ１５ａに着座してから所定時間経過した時である。さらに詳細には、当該所定時間Ｔ２経過した時とは、実噴射率がゼロとなったとき、すなわち、筒内燃料噴射弁１５の噴孔から燃料の噴射供給が完全に終了した後である。
【００３５】
つまり、ノズルニードル１５ｂがフルリフト時から燃料噴射が完全に終了するまでの間、レーザ光を筒内燃料噴射弁１５の噴孔に照射している。これにより、筒内燃料噴射弁１５が燃料の噴射供給を終了する際に噴孔付近に付着する液相状態の燃料にレーザ光が照射される。そして、液相状態の燃料は、照射されるレーザ光のエネルギーにより気相状態にされる。つまり、筒内燃料噴射弁１５の噴孔付近に液相状態の燃料の付着を防止できる。その結果、液相状態の燃料が付着することにより生じるデポジットなどの堆積、蓄積を抑制することができる。
【００３６】
さらに、筒内燃料噴射弁１５の噴孔から噴射される燃料の実噴射率に対するレーザ光の照射強度について説明する。ここで、図４の第２段目の実線および破線と、第３段目の実線および破線とは、それぞれ対応している。すなわち、図４の第３段目において、噴射量が少ない場合を実線にて示し、噴射量が多い場合を破線にて示す。
【００３７】
図４に示すように、レーザ光照射制御部４２によりレーザ光照射装置２に照射させるレーザ光の照射強度は、筒内燃料噴射弁１５の噴孔から噴射される燃料の実噴射率にほぼ比例している。すなわち、燃料の実噴射率が高いほど、レーザ光の照射強度は大きくしている。
【００３８】
ここで、実噴射率が高いほど、筒内燃料噴射弁１５の噴孔から噴射供給される燃料の噴射量が多くなる。そして、実噴射率が高くなることにより燃料の噴射量が多くなる場合に、レーザ光の照射強度を強くすることで、確実に噴孔周辺に付着する液相状態の燃料を気相状態にすることができる。なお、燃料の実噴射率は、燃料の噴射圧力に相当するものである。
【００３９】
なお、筒内燃料噴射弁１５による燃料の連続噴射時間が長いほど、レーザ光の照射強度を強くしてもよい。一般に、筒内燃料噴射弁１５により噴射供給される燃料の実噴射率は、噴射圧力が同一である場合であっても、時間が経過するにつれて僅かながら増加する（図４の第２段目に示す）。つまり、筒内燃料噴射弁１５による燃料の連続噴射時間が長いほど、燃料の噴射量が多くなる。そこで、燃料の連続噴射時間が長いほど、レーザ光の照射強度を強くすることで、確実に噴孔周辺に付着する液相状態の燃料を気相状態にすることができる。
【図面の簡単な説明】
【００４０】
【図１】本実施形態における内燃機関の浄化装置を示す図である。
【図２】筒内燃料噴射弁１５の噴孔付近の断面図である。
【図３】ＥＣＵ４の構成を示すブロック図である。
【図４】レーザ光の照射タイミングおよび照射強度について説明するタイミングチャートである。
【符号の説明】
【００４１】
１：内燃機関、  ２：レーザ光照射装置、  ３：燃焼室、  ４：制御装置（ＥＣＵ）、  １１：シリンダブロック、  １２：シリンダヘッド、  １２ａ：吸気弁、  １２ｂ：吸気ポート、  １２ｃ：排気弁、  １２ｄ：排気ポート、  １３：ピストン、  １３ａ：キャビティ、  １４：点火装置、  １５：筒内燃料噴射弁、  １５ａ：ノズルボディ、  １５ｂ：ノズルニードル
【図１】
2006242032.tif 000003
【図２】
2006242032.tif 000004
【図３】
2006242032.tif 000005
【図４】
2006242032.tif 000006